(57)【要約】【課題】継続して印刷できる液体吐出装置を提供すること。【解決手段】液体吐出装置１１は、複数のノズル１３から媒体９９に液体を吐出することで印刷する液体吐出部１４と、液体を収容する第１液体収容体１６を装着可能な第１装着部１７と、第１液体収容体に収容される液体と異なる複数種類の液体を収容する第２液体収容体１８を装着可能な第２装着部１９と、液体吐出部を制御する制御部２３と、を備え、制御部は、第２液体収容体を交換する交換モード、第１液体収容体に収容される液体で印刷する単色モード、第２液体収容体に収容される複数種類の液体のうち残量が第１閾値を下回る液体を使用せずに印刷を継続する継続モード、のうち少なくとも２つのモードを有し、第２液体収容体に収容される複数種類の液体のうち少なくとも１種類の液体の残量が前記第１閾値を下回る場合に、モードの中から１つを選択できる状態にする。【選択図】図１
2019188746.tif 000002
【特許請求の範囲】
【請求項１】
複数のノズルから媒体に液体を吐出することで印刷する液体吐出部と、
液体を収容する第１液体収容体を装着可能な第１装着部と、
前記第１液体収容体に収容される液体と異なる複数種類の液体を収容する第２液体収容体を装着可能な第２装着部と、
前記液体吐出部を制御する制御部と、を備え、
前記制御部は、前記第２液体収容体を交換する交換モード、前記第１液体収容体に収容される液体で印刷する単色モード、前記第２液体収容体に収容される複数種類の液体のうち残量が第１閾値を下回る液体を使用せずに印刷を継続する継続モード、のうち少なくとも２つのモードを有し、
前記第２液体収容体に収容される複数種類の液体のうち少なくとも１種類の液体の残量が前記第１閾値を下回る場合に、前記モードの中から１つを選択できる状態にすることを特徴とする液体吐出装置。
【請求項２】
前記制御部は、前記単色モード又は前記継続モードが選択された場合、残量が前記第１閾値を下回る液体と対応する前記ノズルに対して、印刷に関係する液体の吐出を禁止し、印刷と関係のない液体の吐出である空吐出を実行可能とすることを特徴とする請求項１に記載の液体吐出装置。
【請求項３】
前記制御部は、残量が前記第１閾値を下回る液体の残量が少なくなることに応じて、一度の前記空吐出で吐出するその液体の吐出量を少なくすることを特徴とする請求項２に記載の液体吐出装置。
【請求項４】
前記ノズルが開口する閉空間を形成可能なキャップを備え、
前記制御部は、前記単色モード又は前記継続モードが選択された後、前記閉空間を形成する前に前記キャップ内に前記空吐出を実行する場合において、前記第２液体収容体に収容される複数種類の液体のうち残量が前記第１閾値を下回る液体を前記ノズルから吐出する際の吐出量を、前記第２液体収容体に収容される複数種類の液体のうち残量が第１閾値を下回る液体を除く他の液体を前記ノズルから吐出する際の吐出量よりも少なくすることを特徴とする請求項２又は請求項３に記載の液体吐出装置。
【請求項５】
前記制御部は、前記第２液体収容体に収容される複数種類の液体のうち少なくとも１種類の液体の残量が前記第１閾値よりも少ない第２閾値を下回る場合、前記第２液体収容体に収容される複数種類の液体のうち残量が前記第２閾値を下回る液体と対応する前記ノズルからの液体の吐出を禁止する請求項２から請求項４の何れか一項に記載の液体吐出装置。
【請求項６】
前記制御部は、前記第２液体収容体に収容される複数種類の液体のうち一の液体の残量と他の液体の残量との差が所定量以上となる場合、残量が少ない液体と対応する前記ノズルからの吐出量を少なくして印刷する節約モードを選択できる状態にすることを特徴とする請求項１から請求項５の何れか一項に記載の液体吐出装置。
【請求項７】
前記ノズルから液体を強制的に排出させる排出機構を備え、
前記制御部は、前記交換モードが選択された場合には、前記第２液体収容体が交換された後に前記排出機構による液体の排出を実行せず、
前記単色モード又は前記継続モードが選択された場合には、前記第２液体収容体が交換された後に前記排出機構による液体の排出を実行することを特徴とする請求項１から請求項６の何れか一項に記載の液体吐出装置。
【請求項８】
前記制御部は、前記単色モード又は前記継続モードが選択されてから経過した時間が長いほど、前記第２液体収容体が交換された後に実行される前記排出機構による液体の排出の強度を強くすることを特徴とする請求項７に記載の液体吐出装置。
【請求項９】
前記制御部は、前記第２液体収容体に収容される複数種類の液体の残量が前記第１閾値を下回る場合に、前記交換モード又は前記単色モードを選択できる状態にすることを特徴とする請求項１から請求項８の何れか一項に記載の液体吐出装置。
【発明の詳細な説明】
【技術分野】
【０００１】
本発明は、例えばインクジェット式プリンターなどの液体吐出装置に関する。
【背景技術】
【０００２】
特許文献１には、液体吐出装置の一例として、複数の液体を収容可能なカートリッジを装着可能なプリンターが記載されている。
【先行技術文献】
【特許文献】
【０００３】
【特許文献１】特開２００８−１４９５８７号公報
【発明の概要】
【発明が解決しようとする課題】
【０００４】
特許文献１に記載のプリンターにおいては、カートリッジが収容する複数の液体のうち１つでもその残量が僅少となると、他のすべての液体を排出する。そのため、カートリッジが収容する複数の液体のうち１つでも残量が僅少となると、カートリッジを交換するまで印刷できなくなる。
【０００５】
本発明の目的は、継続して印刷できる液体吐出装置を提供することにある。
【課題を解決するための手段】
【０００６】
本発明の一態様に係る液体吐出装置は、複数のノズルから媒体に液体を吐出することで印刷する液体吐出部と、液体を収容する第１液体収容体を装着可能な第１装着部と、前記第１液体収容体に収容される液体と異なる複数種類の液体を収容する第２液体収容体を装着可能な第２装着部と、前記液体吐出部を制御する制御部と、を備え、前記制御部は、前記第２液体収容体を交換する交換モード、前記第１液体収容体に収容される液体のみで印刷する単色モード、前記第２液体収容体に収容される複数種類の液体のうち残量が第１閾値を下回る液体を使用せずに印刷を継続する継続モード、のうち少なくとも２つのモードを有し、前記第２液体収容体に収容される複数種類の液体のうち少なくとも１種類の液体の残量が前記第１閾値を下回る場合に、前記モードの中から１つを選択できる状態にする。
【図面の簡単な説明】
【０００７】
【図１】液体吐出装置の一実施形態を模式的に示す正面図。
【図２】残量比較処理の処理ルーチンを示すフローチャート。
【発明を実施するための形態】
【０００８】
以下、液体吐出装置の一実施形態について図を参照しながら説明する。液体吐出装置は、例えば、用紙等の媒体に液体の一例であるインクを吐出することによって、文字、写真等の画像を印刷するインクジェット式のプリンターである。
【０００９】
図１に示すように、液体吐出装置１１は、筐体１２を備える。液体吐出装置１１は、複数のノズル１３から媒体９９に液体を吐出することで印刷する液体吐出部１４と、媒体９９を支持する支持台１５とを備える。液体吐出装置１１は、液体を収容する第１液体収容体１６を装着可能な第１装着部１７と、液体を収容する第２液体収容体１８を装着可能な第２装着部１９とを備える。
【００１０】
液体吐出装置１１は、ノズル１３が開口する閉空間を形成可能なキャップ２１と、ノズル１３から液体を強制的に排出させる排出機構２２とを備える。液体吐出装置１１は、液体吐出部１４を制御する制御部２３を備える。本実施形態の制御部２３は、液体吐出部１４、キャップ２１及び排出機構２２などを含む装置全体を統括して制御する。制御部２３は、ＣＰＵ、メモリーなどにより構成される。
【００１１】
液体吐出部１４は、複数のノズル１３を有するヘッド２４と、ヘッド２４を搭載するキャリッジ２５と、キャリッジ２５を支持するガイド軸２６とを有する。キャリッジ２５は、ガイド軸２６に沿って移動可能とされる。ヘッド２４は、支持台１５に支持される媒体９９に対してキャリッジ２５とともに走査しながら液体を吐出することにより、媒体９９に画像を印刷する。そのため、ガイド軸２６は、液体吐出装置１１において、ヘッド２４が走査する方向である主走査方向Ｘに延びる。本実施形態では、図１において主走査方向Ｘの右端となる位置がキャリッジ２５のホームポジションとされる。キャリッジ２５は、媒体９９に印刷しない待機状態となる場合に、ホームポジションで待機する。支持台１５に支持される媒体９９は、支持台１５上において、主走査方向Ｘ及び鉛直方向Ｚと異なる方向である副走査方向Ｙに搬送される。
【００１２】
液体吐出部１４は、第１装着部１７及び第２装着部１９に装着される第１液体収容体１６及び第２液体収容体１８から液体を供給される。第１液体収容体１６及び第２液体収容体１８は、それぞれ異なる種類の液体を収容する。第１液体収容体１６及び第２液体収容体１８は、例えばインクカートリッジである。
【００１３】
本実施形態の第１装着部１７及び第２装着部１９は、液体吐出部１４に設けられる。具体的には、第１装着部１７及び第２装着部１９は、キャリッジ２５に設けられる。そのため、液体を収容する第１液体収容体１６及び第２液体収容体１８は、第１装着部１７及び第２装着部１９に装着されることにより、キャリッジ２５に搭載される。第１装着部１７及び第２装着部１９は、キャリッジ２５において主走査方向Ｘにおいて並ぶように位置する。第２装着部１９は、主走査方向Ｘにおいて第１装着部１７よりもホームポジション寄りに位置する。
【００１４】
本実施形態の液体吐出装置１１は、第１液体収容体１６及び第２液体収容体１８をキャリッジ２５に搭載する所謂オンキャリッジタイプである。液体吐出装置１１は、第１液体収容体１６及び第２液体収容体１８をキャリッジ２５に搭載しないオフキャリッジタイプでもよい。すなわち、第１装着部１７及び第２装着部１９は、キャリッジ２５に設けられなくともよい。この場合、第１装着部１７に装着される第１液体収容体１６及び第２装着部１９に装着される第２液体収容体１８は、例えばチューブを介してヘッド２４と接続される。
【００１５】
第２装着部１９は、第１液体収容体１６に収容される液体と異なる複数種類の液体を収容する第２液体収容体１８を装着可能とされる。すなわち、第２液体収容体１８は、複数の液体を収容可能とされる。第１液体収容体１６及び第２液体収容体１８は、液体を収容する収容室２８を有する。第２液体収容体１８は収容室２８を複数有する。本実施形態の第１液体収容体１６は収容室２８を１つ有する。本実施形態の第２液体収容体１８は収容室２８を３つ有する。第１液体収容体１６は、ブラックのインクを収容する。第２液体収容体１８は、カラーのインクを収容する。第２液体収容体１８は、それぞれの収容室２８にシアン、マゼンタ、イエローのインクを収容する。
【００１６】
ヘッド２４は、複数のノズル１３によって構成されるノズル列３１を複数有する。本実施形態のノズル列３１は、副走査方向Ｙにおいて複数のノズル１３が１列に並ぶことによって構成される。複数のノズル列３１は、ヘッド２４において主走査方向Ｘに並ぶように位置する。複数のノズル列３１は、第１装着部１７及び第２装着部１９に装着される第１液体収容体１６及び第２液体収容体１８にそれぞれ対応する。すなわち、第１液体収容体１６及び第２液体収容体１８に収容される液体は、予め定められた特定のノズル３１列から吐出される。
【００１７】
本実施形態のヘッド２４は、４列のノズル列３１を有する。ノズル列３１を構成するノズル１３の数はそれぞれ同一である。主走査方向Ｘに並ぶ４列のノズル列３１のうち、第１装着部１７寄りに位置する１列のノズル列３１が第１液体収容体１６と対応する。他の３列のノズル列３１が第２液体収容体１８と対応する。すなわち、主走査方向Ｘに並ぶ４列のノズル列３１のうち第１装着部１７寄りに位置する１列のノズル列３１からブラックのインクが吐出される。主走査方向Ｘに並ぶ４列のノズル列３１のうち、他の３列のノズル列３１からシアン、マゼンタ、イエローのインクが吐出される。このように、ノズル列３１を構成するノズル１３は、第１液体収容体１６の収容室２８及び第２液体収容体１８の収容室２８に収容される液体それぞれと対応する。
【００１８】
キャップ２１は、主走査方向Ｘにおいて支持台１５と隣り合うように位置する。キャップ２１は、ホームポジションに位置するキャリッジ２５に搭載されるヘッド２４に対して接触可能に構成される。キャップ２１は、例えば上下に移動することによって、ヘッド２４に接触したり、ヘッド２４から離れたりする。ヘッド２４がキャップ２１に対して上下に移動するように構成されてもよい。
【００１９】
キャップ２１は、その縁部分がノズル１３を囲うようにヘッド２４に接触することによって、ノズル１３が開口する閉空間を形成する。このように、ノズル１３が開口する閉空間を形成するようにキャップ２１がヘッド２４に接触することを、キャッピングという。すなわち、キャップ２１がヘッド２４をキャッピングすることにより、ノズル１３が開口する閉空間が形成される。本実施形態のキャップ２１は、ヘッド２４に形成されるすべてのノズル１３を囲うようにキャッピングする。
【００２０】
キャップ２１がヘッド２４をキャッピングすると、ノズル１３内における液体の蒸発が抑制される。そのため、ノズル１３内の液体の増粘及び固化が抑制される。これにより、液体を吐出するノズル１３の吐出精度が維持される。
【００２１】
ヘッド２４は、キャッピングされる前に、キャップ２１に向けて液体を吐出してもよい。この場合、ヘッド２４は、印刷と関係のない液体をキャップ２１内に吐出する。キャップ２１内に液体が残留する状態でキャッピングすると、キャップ２１により形成された閉空間がキャップ２１内の液体により保湿される。これにより、ノズル１３内の液体の増粘及び固化が一層抑制される。このように、印刷と関係のない液体の吐出のことを空吐出、又はフラッシングという。
【００２２】
空吐出は、キャッピング前だけでなく、印刷途中において実行されることもある。この場合、印刷途中において、ノズル１３内の液体が増粘及び固化することが抑制される。ヘッド２４は、印刷途中に空吐出をする場合、キャップ２１内に液体を吐出してもよいし、キャップ２１とは別の部材に液体を吐出してもよい。
【００２３】
排出機構２２は、キャップ２１と接続される。排出機構２２は、キャップ２１内を吸引可能に構成される。キャップ２１がヘッド２４をキャッピングする状態でキャップ２１内を排出機構２２が吸引すると、キャッピングにより形成される閉空間が負圧となる。この負圧がヘッド２４のノズル１３に及ぶことにより、ノズル１３から液体がキャップ２１内に排出される。このように、吸引することによりノズル１３から液体を強制的に排出させることを吸引クリーニングという。吸引クリーニングを実行することにより、増粘及び固化した液体がノズル１３から排出される。すなわち、液体を吐出するノズル１３の吐出精度が維持される。排出機構２２は、キャップ２１がヘッド２４をキャッピングしない状態でキャップ２１内を吸引することにより、キャップ２１内の液体を排出する。
【００２４】
キャップ２１は、ヘッド２４をキャッピングする際に、キャップ２１の内外で空気及び液体などの流体の出入りを遮断するようにキャップ２１内を密閉することが好ましい。キャップ２１は、ヘッド２４をキャッピングする際に、キャップ２１内を密閉しなくともよい。キャップ２１は、ヘッド２４をキャッピングする状態で、排出機構２２がキャップ２１内を吸引することによってノズル１３から液体を吸引可能な程度の負圧が発生する閉空間を形成できればよい。
【００２５】
制御部２３は、第１液体収容体１６及び第２液体収容体１８に収容される液体の残量を検出する。本実施形態の制御部２３は、第１液体収容体１６及び第２液体収容体１８が収容していた液体の初期残量と、液体吐出部１４によって消費された液体の消費量とに基づいて、第１液体収容体１６及び第２液体収容体１８が現在収容する液体の残量を検出する。初期残量とは、第１装着部１７及び第２装着部１９に装着された際に第１液体収容体１６及び第２液体収容体１８が収容していた液体の残量である。第１液体収容体１６及び第２液体収容体１８は、初期残量を記憶する記憶素子を有する。制御部２３は、この記憶素子から初期残量を取得する。消費量とは、印刷、吸引クリーニング、空吐出などによって消費された液体の量である。
【００２６】
液体吐出装置１１は、第１装着部１７に装着される第１液体収容体１６及び第２装着部１９に装着される第２液体収容体１８のそれぞれに収容される液体の残量を検出可能なセンサーを備えてもよい。この場合、制御部２３は、センサーを介して、第１液体収容体１６及び第２液体収容体１８に収容される液体の残量を検出する。液体の残量を検出可能なセンサーとして、例えば光学式センサー、静電容量式センサー、超音波式センサーなどを採用できる。
【００２７】
制御部２３は、検出した液体の残量と閾値とを比較する。制御部２３は、閾値として第１閾値及び第２閾値を記憶する。第１閾値は、第２閾値よりも大きい値である。第１閾値は、印刷するために必要と見込まれる液体の下限量を指す。第２閾値は、ヘッド２４から液体を吐出するために必要と見込まれる液体の下限量を指す。
【００２８】
液体の残量が第１閾値を下回る場合、そのまま継続して印刷すると、印刷途中においてその液体の残量が不足するおそれがある。印刷途中において液体の残量が不足すると、ノズル１３から液体を正常に吐出できなかったり、その液体をノズル１３から吐出させようとすると、ノズル１３からヘッド２４内に空気が流入したりするおそれがある。そのため、液体の残量が第１閾値を下回る場合、その液体を使用して印刷することは好ましくない。
【００２９】
液体の残量が第２閾値を下回る場合、その液体をノズル１３から吐出させようとすると、ノズル１３からヘッド２４内に空気が流入するおそれがある。ヘッド２４内に空気が流入した場合、吸引クリーニング等を実行しないとノズル１３から空気を排出できないため、液体を正常に吐出できない。そのため、残量が第２閾値を下回る場合、その液体を使用して吐出することは好ましくない。
【００３０】
制御部２３は、第１液体収容体１６に収容される液体の残量を検出すると、その残量と第１閾値とを比較する。制御部２３は、第１液体収容体１６に収容される液体の残量が第１閾値を下回る場合、その液体の残量が僅少であることを報知する。このとき、制御部２３は、例えば、液体吐出装置１１が有する液晶画面、液体吐出装置１１と電気的に接続されるコンピューターなどを介して報知する。制御部２３は、報知することにより、第１液体収容体１６の交換をユーザーに促す。
【００３１】
制御部２３は、第２液体収容体１８に収容される液体の残量を検出すると、その残量と第１閾値及び第２閾値とを比較する。制御部２３は、第２液体収容体１８に収容される液体の残量と、第１閾値及び第２閾値との比較に基づいて、液体吐出装置１１のモードを切り替える。制御部２３は、複数のモードを有する。液体吐出装置１１は、モードに基づいて動作する。
【００３２】
制御部２３は、通常状態である通常モードを有する。制御部２３は、通常モードの他に、交換モード、単色モード及び継続モードのうち、少なくとも２つのモードを有する。特に、制御部２３は、交換モードを有することが好ましい。すなわち、制御部２３は、交換モードと、単色モード及び継続モードのうち少なくとも一方のモードとを有することが好ましい。そのため、制御部２３は、３つのモードのうち、交換モード及び単色モードを有してもよいし、交換モード及び継続モードを有してもよい。本実施形態の制御部２３は、交換モード、単色モード及び継続モードの３つのモードをすべて有する。
【００３３】
通常モードは、第１液体収容体１６及び第２液体収容体１８に収容される液体の残量が十分にあるときのモードである。通常モードにおいては、第１液体収容体１６及び第２液体収容体１８に収容されるすべての液体を使用可能である。そのため、通常モードでは、媒体９９に対して画像をフルカラーで印刷可能である。
【００３４】
交換モードは、第２液体収容体１８を交換するモードである。交換モードにおいては、筐体１２内における所定の位置でキャリッジ２５が静止する。キャリッジ２５は、第２液体収容体１８が交換されるまでその位置で待機する。第２液体収容体１８の交換が完了すると、通常モードに移行する。
【００３５】
単色モードは、第１液体収容体１６に収容される液体で印刷するモードである。すなわち、単色モードにおいては、第２液体収容体１８に収容される液体を印刷に使用しない。本実施形態の単色モードにおいては、ブラックのインクのみを使用して画像を印刷する。そのため、単色モードにおいて媒体９９に印刷される画像はモノクロとなる。
【００３６】
継続モードは、第２液体収容体１８に収容される複数種類の液体のうち残量が第１閾値を下回る液体を使用せずに印刷を継続するモードである。すなわち、継続モードにおいては、第１液体収容体１６に収容される液体と、第２液体収容体１８に収容される液体のうち残量が十分にある液体とを使用して印刷する。本実施形態においては、カラーのインクのうち残量が少ないインクを使用せずに印刷する。そのため、継続モードにおいて媒体９９に印刷される画像は、一部の色が抜けた状態となる。
【００３７】
制御部２３は、第２液体収容体１８に収容される複数種類の液体のうち少なくとも１種類の液体の残量が第１閾値を下回る場合に、交換モード、単色モード、継続モードの中から１つを選択できる状態にする。すなわち、制御部２３は、第２液体収容体１８に収容される複数種類の液体のうち少なくとも１種類の液体の残量が第１閾値を下回る場合に、交換モード、単色モード、継続モードの中から１つをユーザーに選択させる。
【００３８】
制御部２３は、第２液体収容体１８に収容される液体の残量が第１閾値を下回る場合、その液体の残量が僅少であることを報知する。このとき、制御部２３は、例えば、液体吐出装置１１が有する液晶画面、液体吐出装置１１と電気的に接続されるコンピューターなどを介して報知する。このとき、制御部２３は、液体吐出装置１１が有する液晶画面、液体吐出装置１１と接続されるコンピューターなどを介して、交換モード、単色モード、継続モードの何れかをユーザーに選択させる。
【００３９】
第２液体収容体１８に収容される特定の液体の残量が第１閾値を下回る場合、そのまま印刷を継続すると、印刷途中でその液体の残量が不足するおそれがある。そのため、残量が第１閾値を下回る液体を用いて印刷を継続することは好ましくない。第２液体収容体１８に収容される特定の液体の残量が第１閾値を下回る一方で、第２液体収容体１８に収容される他の液体の残量が十分にある場合に、第２液体収容体１８を交換すると液体の無駄が生じる。例えば、シアンのインクの残量が第１閾値を下回る一方で、マゼンタ及びイエローのインクの残量が第１閾値以上ある場合に、第２液体収容体１８を交換すると、残量が十分にあるマゼンタ及びイエローのインクを廃棄することになる。このようにして、液体の無駄が生じる。
【００４０】
本実施形態の液体吐出装置１１は、第２液体収容体１８に収容される特定の液体の残量が第１閾値を下回る場合に、交換モードとは別に、単色モード又は継続モードを選択できる。単色モードを選択した場合、第１液体収容体１６に収容される液体を使用することにより継続して印刷できる。継続モードを選択した場合、残量が第１閾値を下回る液体を除く他の液体を使用することにより継続して印刷できる。これにより、第２液体収容体１８に収容される複数種類の液体のうち少なくとも１種類の液体の残量が第１閾値を下回る場合でも、残量が十分にある液体を使用することにより継続して印刷できる。したがって、継続して印刷できる。特に、継続モードを選択した場合においては、第２液体収容体１８に収容される液体のうち残量が十分にある液体を使用するため、第２液体収容体１８を交換する際における液体の無駄をより低減できる。
【００４１】
制御部２３は、単色モード又は継続モードが選択された場合に、残量が第１閾値を下回る液体と対応するノズル１３に対して、印刷に関係する液体の吐出を禁止し、印刷と関係のない液体の吐出である空吐出を実行可能とすることが好ましい。すなわち、制御部２３は、単色モード又は継続モードにおいて、残量が第１閾値を下回る液体を印刷には使用しない一方で、空吐出には使用することが好ましい。
【００４２】
単色モード又は継続モードにおいては、印刷に使用しないノズル１３があらわれる。印刷に使用しないノズル１３内においては、液体が滞留し易くなり、液体の増粘及び固化が促進する。そのため、単色モード又は継続モードにおいては、印刷に使用しないノズル１３に対して空吐出させることが好ましい。通常、印刷するために必要と見込まれる液体の量と比較して、空吐出するために必要と見込まれる液体の量は少ない。したがって、液体の残量が第１閾値を下回る場合でも、その液体を使用して空吐出を実行できる。空吐出することにより、印刷に使用しないノズル１３内の液体の増粘及び固化が抑制される。
【００４３】
制御部２３は、残量が第１閾値を下回る液体の残量が少なくなることに応じて、一度の空吐出で吐出するその液体の吐出量を少なくすることが好ましい。単色モード又は継続モードにおいて、残量が第１閾値を下回る液体を使用して空吐出を繰り返すと、その液体の残量がさらに少なくなる。そのため、第１閾値を下回る液体の残量が少なくなることに応じて、空吐出における吐出量を少なくする。これにより、空吐出による液体の消費量が少なくなるため、空吐出を長期にわたって実行できる。
【００４４】
制御部２３は、単色モード又は継続モードが選択された後、閉空間を形成する前にキャップ２１内に空吐出を実行する場合において、第２液体収容体１８に収容される複数種類の液体のうち残量が第１閾値を下回る液体をノズル１３から吐出する際の吐出量を、第２液体収容体１８に収容される複数種類の液体のうち残量が第１閾値を下回る液体を除く他の液体をノズル１３から吐出する際の吐出量よりも少なくすることが好ましい。こうすると、ノズル１３を保湿するべくキャッピング前にキャップ２１内に空吐出する際における液体の消費量を抑えることができる。
【００４５】
制御部２３は、第２液体収容体１８に収容される複数種類の液体のうち少なくとも１種類の液体の残量が第１閾値よりも少ない第２閾値を下回る場合、第２液体収容体１８に収容される複数種類の液体のうち残量が第２閾値を下回る液体と対応するノズル１３からの液体の吐出を禁止することが好ましい。上述したように、残量が第２閾値を下回る状態で液体を吐出しようとすると、ノズル１３からヘッド２４内に空気が流入するおそれがある。そのため、残量が第２閾値を下回る液体と対応するノズル１３からの吐出を禁止することにより、ヘッド２４内に空気が流入するおそれを低減できる。本実施形態の第２閾値は、空吐出するために必要と見込まれる液体の下限量であるともいえる。
【００４６】
制御部２３は、第２液体収容体１８に収容される複数種類の液体のうち一の液体の残量と他の液体の残量との差が所定量以上となる場合、残量が少ない液体と対応するノズル１３からの吐出量を少なくして印刷する節約モードを選択できる状態にすることが好ましい。すなわち、制御部２３は、交換モード、単色モード、継続モードとは別に、節約モードを有するとよい。第２液体収容体１８に収容される複数種類の液体において残量に偏りが生じると、第２液体収容体１８を交換する際に液体の無駄が生じ易い。そのため、残量が少ない液体と対応するノズル１３からの吐出量を少なくすることにより、第２液体収容体１８における液体の残量の偏りを低減できる。
【００４７】
制御部２３は、単色モード又は継続モードが一度も選択されずに交換モードが選択された場合には、第２液体収容体１８が交換された後に排出機構２２による液体の排出を実行せず、交換モードを選択する前に単色モード又は継続モードが選択された履歴がある場合には、第２液体収容体１８が交換された後に排出機構２２による液体の排出を実行することが好ましい。第２液体収容体１８に収容される液体の残量が第１閾値を下回る際に単色モード又は継続モードを選択すると、印刷に使用しないノズル１３があらわれる。空吐出は印刷動作と比較して吐出する液体の量が少ないため、空吐出をしていても、印刷に使用しないノズル１３内において液体の増粘及び固化が促進することがある。そのため、単色モード又は継続モードを選択した場合には、第２液体収容体１８を交換した際に、排出機構２２による液体の排出を実行するとよい。こうすると、単色モード又は継続モード中に増粘及び固化が促進した液体をノズル１３から排出できる。
【００４８】
第２液体収容体１８に収容される液体の残量が第１閾値を下回る際に交換モードを選択した場合、単色モード又は継続モードを選択した場合と比較してノズル１３内における液体の滞留が生じ難い。すなわち、交換モードを選択した場合には、ノズル１３内における液体の増粘及び固化が促進し難い。そのため、交換モードを選択した場合には、排出機構２２による液体の排出を実行しなくともよい。こうすることにより、第２液体収容体１８を交換する際に排出機構２２により液体を強制的に排出させないため、液体の消費を抑制できる。
【００４９】
制御部２３は、単色モード又は継続モードが選択されてから経過した時間が長いほど、第２液体収容体１８が交換された後に実行される排出機構２２による液体の排出の強度を強くすることが好ましい。単色モード又は継続モードを選択してから経過した時間が長いほど、印刷に使用しないノズル１３内における液体の増粘及び固化が促進する。そのため、経過した時間に応じて排出機構２２による排出の強度を強くすることにより、ノズル１３内の液体を効果的に排出できる。
【００５０】
制御部２３は、第２液体収容体１８に収容される複数種類の液体の残量が第１閾値を下回る場合に、交換モード又は単色モードを選択できることが好ましい。第２液体収容体１８に収容されるすべての液体の残量が第１閾値を下回る場合、第２液体収容体１８に収容される液体を印刷に使用することは好ましくない。こうした場合においても、単色モードを選択すると、第１液体収容体１６に収容される液体を使用して印刷を継続できる。
【００５１】
次に、液体吐出装置１１の動作について説明する。
制御部２３は、第２液体収容体１８の残量を検出した後に、その残量と閾値とを比較する残量比較処理を実行する。液体吐出装置１１は、例えば、画像の印刷中、印刷の終了後、電源を投入された直後などのタイミングで残量比較処理を実行する。残量比較処理を実行する際、第１液体収容体１６に収容される液体の残量と閾値とを比較してもよい。
【００５２】
図２に示すように、残量比較処理を実行する制御部２３は、ステップＳ１１において、第２液体収容体１８に収容される液体の残量が第１閾値を下回るか否かを判定する。制御部２３は、第２液体収容体１８に収容される複数種類の液体のうち残量が第１閾値を下回る液体が１種類でもある場合に、ステップＳ１２に処理を移行する。制御部２３は、第２液体収容体１８に収容されるすべての液体の残量が第１閾値以上である場合に、ステップＳ３１に処理を移行する。
【００５３】
制御部２３は、ステップＳ１２において、第２液体収容体１８に収容される液体の残量が第２閾値を下回るか否かを判定する。制御部２３は、第２液体収容体１８に収容される複数種類の液体のうち残量が第２閾値を下回る液体が１種類でもある場合に、ステップＳ１３に処理を移行する。制御部２３は、第２液体収容体１８に収容されるすべての液体の残量が第２閾値以上である場合に、ステップＳ１４に処理を移行する。
【００５４】
制御部２３は、ステップＳ１３において、第２液体収容体１８に収容される複数種類の液体のうち残量が第２閾値を下回る液体と対応するノズル１３からの液体の吐出を禁止する。制御部２３は、残量が第２閾値を下回る液体と対応するノズル１３からの印刷動作による吐出、空吐出による吐出及び吸引クリーニングによる吐出をすべて禁止する。
【００５５】
制御部２３は、ステップＳ１４において、第２液体収容体１８に収容される複数種類の液体のうちすべての液体の残量が第１閾値を下回るか否かを判定する。制御部２３は、第２液体収容体１８に収容されるすべての液体の残量が第１閾値を下回る場合に、ステップＳ１５に処理を移行する。制御部２３は、第２液体収容体１８に収容される複数種類の液体のうち残量が第１閾値以上である液体が１種類でもある場合に、ステップＳ４１に処理を移行する。
【００５６】
制御部２３は、ステップＳ１５において、ユーザーにモードを選択させる。このとき、制御部２３は、ユーザーがモードを選択するまで待機する。本実施形態のステップＳ１５において選択可能となるモードは、交換モード、単色モードである。ステップＳ１５においては、第２液体収容体１８に収容されるすべての液体の残量が第１閾値を下回るため、継続モードを選択できない。制御部２３は、モードが選択されると、ステップＳ１６に処理を移行する。
【００５７】
制御部２３は、ステップＳ１４において第２液体収容体１８に収容される複数種類の液体のうち残量が第１閾値以上である液体が１種類でもある場合、ステップＳ４１において、ユーザーにモード選択させる。このとき、制御部２３は、ユーザーがモードを選択するまで待機する。本実施形態のステップＳ４１において選択可能となるモードは、交換モード、単色モード、継続モードである。制御部２３は、モードが選択されると、ステップＳ１６に処理を移行する。
【００５８】
制御部２３は、ステップＳ１６において、ステップＳ１５またはステップＳ４１において選択されたモードが交換モードであるか否かを判定する。制御部２３は、選択されたモードが交換モードである場合、ステップＳ１７に処理を移行する。制御部２３は、選択されたモードが交換モード以外、すなわち単色モード又は継続モードである場合に、ステップＳ５１に処理を移行する。
【００５９】
制御部２３は、ステップＳ１７において、第２液体収容体１８が交換されるまで待機する。制御部２３は、第２液体収容体１８が交換されると、ステップＳ１８に処理を移行する。
【００６０】
制御部２３は、ステップＳ１８において、フラグの有無を判定する。このフラグは、制御部２３に記憶される。フラグは、第２液体収容体１８が第２装着部１９に装着されてから単色モード又は継続モードが選択されたことを示す情報である。すなわち、フラグがある場合、第２液体収容体１８が第２装着部１９に装着されてから現在までの間に、単色モード又は継続モードが選択されたことがわかる。制御部２３は、フラグがある場合にステップＳ１９に処理を移行し、フラグがない場合に残量比較処理を終了する。
【００６１】
制御部２３は、ステップＳ１９において、排出機構２２によりノズル１３から液体を排出させる。フラグがある場合、第２液体収容体１８を交換するまでに単色モード又は継続モードが選択されていたため、印刷に使用しないノズル１３内において液体の増粘及び固化が促進しているおそれがある。そのため、排出機構２２により液体を排出させる。
【００６２】
制御部２３は、ステップＳ１９において、単色モード又は継続モードを選択されてから経過した時間の長さに応じた強度で、排出機構２２によりノズル１３から液体を排出させる。そのため、制御部２３は、単色モード又は継続モードを選択された際に、時間のカウントをスタートする。
【００６３】
制御部２３は、ステップＳ２０において、フラグをリセットする。これにより、制御部２３は、フラグがない状態となる。制御部２３は、ステップＳ２０において、カウントをリセットする。このとき、制御部２３は、カウントをリセットするとともにストップする。
【００６４】
制御部２３は、ステップＳ２１において、交換モードから通常モードに移行する。制御部２３は、通常モードに移行する際に、液体の吐出が禁止されたノズル１３の禁止を解除する。制御部２３は、通常モードに移行すると、残量比較処理を終了する。
【００６５】
制御部２３は、ステップＳ１８においてフラグがない場合に、ステップＳ１９、ステップＳ２０及びステップＳ２１の処理をスキップする。すなわち、制御部２３は、ステップＳ１８においてフラグがない場合、すなわち第２液体収容体１８が交換されてから交換モードが選択されるまでの間に単色モード又は継続モードが選択されていない場合に、排出機構２２による液体の排出を実行しない。
【００６６】
制御部２３は、ステップＳ１１において第２液体収容体１８に収容されるすべての液体の残量が第１閾値以上である場合に、ステップＳ３１において、第２液体収容体１８に収容される複数種類の液体のうち一の液体の残量と他の液体の残量との差が所定量以上であるか否かを判定する。制御部２３は、一の液体の残量と他の液体の残量との差が所定量以上である場合に、ステップＳ３２に処理を移行する。制御部２３は、一の液体の残量と他の液体の残量との差が所定量以上ではない場合に、残量比較処理を終了する。
【００６７】
制御部２３は、ステップＳ３２において、ユーザーにモードを選択させる。このとき、制御部２３は、ユーザーがモードを選択するまで待機する。本実施形態のステップＳ３２において選択可能となるモードは、節約モード、通常モードである。制御部２３は、節約モードが選択された場合、残量が少ない液体と対応するノズル１３からの吐出量を少なくする。制御部２３は、モードが選択されると、残量比較処理を終了する。
【００６８】
制御部２３は、ステップＳ１６において交換モード以外、すなわち単色モード又は継続モードである場合に、ステップＳ５１において、フラグの有無を判定する。制御部２３は、フラグがある場合にステップＳ５３に処理を移行し、フラグがない場合にステップＳ５２に処理を移行する。
【００６９】
制御部２３は、ステップＳ５２において、フラグをセットする。制御部２３は、ステップＳ５２において、カウントをスタートする。フラグがセットされることにより、第２液体収容体１８を交換した際に、排出機構２２により液体の排出が実行される。
【００７０】
制御部２３は、ステップＳ５３において、第２液体収容体１８に収容される液体の残量に応じて、ノズル１３ごとの吐出量を変更する。具体的には、制御部２３は、ステップＳ５３において、残量が第１閾値を下回る液体の残量が少なくなることに応じて、一度の空吐出で吐出するその液体の吐出量を少なくする。制御部２３は、ステップＳ５３において、第２液体収容体１８に収容される複数種類の液体のうち残量が第１閾値を下回る液体をノズル１３から吐出する際の吐出量を、残量が第１閾値を下回る液体を除く他の液体をノズル１３から吐出する際の吐出量よりも少なくする。
【００７１】
次に、上記実施形態の作用及び効果について説明する。
（１）制御部２３は、交換モード、単色モード、継続モードの３つのモードのうち少なくとも２つのモードを有する。そのため、第２液体収容体１８に収容される複数種類の液体のうち少なくとも１種類の液体の残量が第１閾値を下回る場合に、交換モードとは別に、単色モード又は継続モードを選択できる。単色モードを選択した場合、第１液体収容体１６に収容される液体を使用することにより継続して印刷できる。継続モードを選択した場合、残量が第１閾値を下回る液体を除く他の液体を使用することにより継続して印刷できる。そのため、第２液体収容体１８に収容される複数種類の液体のうち少なくとも１種類の液体の残量が第１閾値を下回る場合でも、残量が十分にある液体を使用することにより継続して印刷できる。
【００７２】
（２）制御部２３は、単色モード又は継続モードが選択された場合、残量が第１閾値を下回る液体と対応するノズル１３に対して、印刷と関係のない液体の吐出である空吐出のみを実行させる。こうすると、第２液体収容体１８に収容される複数種類の液体のうち残量が第１閾値を下回る液体と対応するノズル１３に対して空吐出を実行させることにより、印刷に使用しないノズル１３内における液体の増粘及び固化を抑制できる。これにより、ノズル１３の吐出精度を維持できる。
【００７３】
（３）制御部２３は、残量が第１閾値を下回る液体の残量が少なくなることに応じて、一度の空吐出で吐出するその液体の吐出量を少なくする。こうすると、空吐出する際、第２液体収容体１８に収容される複数種類の液体のうち残量が第１閾値を下回る液体の消費を抑制できる。これにより、長期にわたって印刷できる。
【００７４】
（４）制御部２３は、単色モード又は継続モードが選択された後、閉空間を形成する前にキャップ２１内に空吐出を実行する場合において、第２液体収容体１８に収容される複数種類の液体のうち残量が第１閾値を下回る液体をノズル１３から吐出する際の吐出量を、第２液体収容体１８に収容される複数種類の液体のうち残量が第１閾値を下回る液体を除く他の液体をノズル１３から吐出する際の吐出量よりも少なくする。空吐出されたキャップ２１が閉空間を形成すると、キャップ２１内の液体によりノズル１３が保湿される。キャップ２１内に空吐出する際に、第２液体収容体１８に収容される複数種類の液体のうち残量が第１閾値を下回る液体の吐出量を少なくすることによって、その液体の消費を抑制できる。これにより、長期にわたって印刷できる。
【００７５】
（５）制御部２３は、第２液体収容体１８に収容される複数種類の液体のうち少なくとも１種類の液体の残量が第１閾値よりも少ない第２閾値を下回る場合、第２液体収容体１８に収容される複数種類の液体のうち残量が第２閾値を下回る液体と対応するノズル１３からの液体の吐出をすべて禁止する。これにより、第２液体収容体１８に収容される液体のうち残量が第２閾値を下回る液体と対応するノズル１３からヘッド２４内に空気が流入するおそれを低減できる。
【００７６】
（６）制御部２３は、第２液体収容体１８に収容される複数種類の液体のうち一の液体の残量と他の液体の残量との差が所定量以上となる場合、残量が少ない液体と対応するノズル１３からの吐出量を少なくして印刷する節約モードを選択できる状態にする。これにより、第２液体収容体１８に収容される複数種類の液体の残量の偏りを低減できる。
【００７７】
（７）制御部２３は、単色モード又は継続モードが一度も選択されずに交換モードが選択された場合には、第２液体収容体１８が交換された後に排出機構２２による液体の排出を実行せず、交換モードを選択する前に単色モード又は継続モードが選択された履歴がある場合には、第２液体収容体１８が交換された後に、排出機構２２による液体の排出を実行する。こうすると、第２液体収容体１８を交換する際に排出機構２２により液体を強制的に排出させるタイミングが少なくなるため、液体の消費を抑制できる。これにより、長期にわたって印刷できる。
【００７８】
（８）制御部２３は、単色モード又は継続モードが選択されてから経過した時間が長いほど、第２液体収容体１８が交換された後に実行される排出機構２２による液体の排出の強度を強くする。単色モード又は継続モードを選択してから経過した時間が長いほど、印刷に使用しないノズル１３内において液体の増粘及び固化が促進する。そのため、経過した時間に応じて排出機構２２による排出の強度を強くすることにより、ノズル１３内における液体を効果的に排出できる。
【００７９】
（９）制御部２３は、第２液体収容体１８に収容される複数種類の液体の残量がすべて第１閾値を下回る場合に、交換モード又は単色モードを選択できる状態にする。これにより、第２液体収容体１８に収容される複数種類の液体の残量がすべて第１閾値を下回る場合でも、単色モードを選択することにより継続して印刷できる。
【００８０】
本実施形態は、以下のように変更して実施することができる。本実施形態及び以下の変更例は、技術的に矛盾しない範囲で互いに組み合わせて実施することができる。
・フラグがない状態で第２液体収容体１８を交換する場合において、第２液体収容体１８を交換した後に排出機構２２によりノズル１３から液体を強制的に排出させてもよい。
【００８１】
・フラグがない状態で第２液体収容体１８を交換する場合において、交換モードが選択されてから規定の時間以内に第２液体収容体１８が交換されない場合に、排出機構２２による液体の排出を実行してもよい。その理由は、第２液体収容体１８が交換されるまでの間に、液体の増粘及び固化が促進されるためである。そのため、交換モードが選択されてから第２液体収容体１８が交換されるまでの時間が長いほど、排出機構２２による液体の排出の強度を強くしてもよい。
【００８２】
・第２装着部１９に装着される第２液体収容体１８は、収容室２８を２つ有する構成でもよいし、４つ以上有する構成でもよい。
・ヘッド２４が有するノズル列３１は、２列でも３列でもよいし、５列以上でもよい。
【００８３】
・ノズル列３１を構成するノズル１３の数は、それぞれ異なっていてもよい。
・排出機構２２は、ヘッド２４内の液体を加圧するポンプでもよい。ヘッド２４内の液体を加圧することにより、ノズル１３から液体を強制的に排出させる。このように、加圧することによりノズル１３から液体を強制的に排出させることを加圧クリーニングという。
【００８４】
・キャップ２１がノズル列３１ごとに複数設けられていてもよい。この場合、ノズル列３１ごとに吸引クリーニングできる。
・液体吐出部１４は、ヘッド２４が主走査方向Ｘに移動可能なシリアルタイプに限らず、ヘッド２４が主走査方向Ｘに長尺となるラインタイプでもよい。
【００８５】
以下に、上述した実施形態及び変更例から把握される技術的思想及びその作用効果を記載する。
［思想１］
複数のノズルから媒体に液体を吐出することで印刷する液体吐出部と、
液体を収容する第１液体収容体を装着可能な第１装着部と、
前記第１液体収容体に収容される液体と異なる複数種類の液体を収容する第２液体収容体を装着可能な第２装着部と、
前記液体吐出部を制御する制御部と、を備え、
前記制御部は、前記第２液体収容体を交換する交換モード、前記第１液体収容体に収容される液体で印刷する単色モード、前記第２液体収容体に収容される複数種類の液体のうち残量が第１閾値を下回る液体を使用せずに印刷を継続する継続モード、のうち少なくとも２つのモードを有し、
前記第２液体収容体に収容される複数種類の液体のうち少なくとも１種類の液体の残量が前記第１閾値を下回る場合に、前記モードの中から１つを選択できる状態にすることを特徴とする液体吐出装置。
【００８６】
制御部は、交換モード、単色モード、継続モードの３つのモードのうち少なくとも２つのモードを有する。そのため、第２液体収容体に収容される複数種類の液体のうち少なくとも１種類の液体の残量が第１閾値を下回る場合に、交換モードとは別に、単色モード又は継続モードを選択できる。単色モードを選択した場合、第１液体収容体に収容される液体を使用することにより継続して印刷できる。継続モードを選択した場合、残量が第１閾値を下回る液体を除く他の液体を使用することにより継続して印刷できる。上記構成によれば、第２液体収容体に収容される複数種類の液体のうち少なくとも１種類の液体の残量が第１閾値を下回る場合でも、残量が十分にある液体を使用することにより継続して印刷できる。したがって、継続して印刷できる。
【００８７】
［思想２］
前記制御部は、前記単色モード又は前記継続モードが選択された場合、残量が前記第１閾値を下回る液体と対応する前記ノズルに対して、印刷に関係する液体の吐出を禁止し、印刷と関係のない液体の吐出である空吐出を実行可能とすることを特徴とする［思想１］に記載の液体吐出装置。
【００８８】
この構成によれば、第２液体収容体に収容される複数種類の液体のうち残量が第１閾値を下回る液体と対応するノズルに対して空吐出を実行させることにより、印刷に使用しないノズル内における液体の増粘及び固化を抑制できる。これにより、ノズルの吐出精度を維持できる。
【００８９】
［思想３］
前記制御部は、残量が前記第１閾値を下回る液体の残量が少なくなることに応じて、一度の前記空吐出で吐出するその液体の吐出量を少なくすることを特徴とする［思想２］に記載の液体吐出装置。
【００９０】
この構成によれば、空吐出する際、第２液体収容体に収容される複数種類の液体のうち残量が第１閾値を下回る液体の消費を抑制できる。これにより、長期にわたって印刷できる。
【００９１】
［思想４］
前記ノズルが開口する閉空間を形成可能なキャップを備え、
前記制御部は、前記単色モード又は前記継続モードが選択された後、前記閉空間を形成する前に前記キャップ内に前記空吐出を実行する場合において、前記第２液体収容体に収容される複数種類の液体のうち残量が前記第１閾値を下回る液体を前記ノズルから吐出する際の吐出量を、前記第２液体収容体に収容される複数種類の液体のうち残量が第１閾値を下回る液体を除く他の液体を前記ノズルから吐出する際の吐出量よりも少なくすることを特徴とする［思想２］又は［思想３］に記載の液体吐出装置。
【００９２】
この構成によれば、空吐出されたキャップが閉空間を形成すると、キャップ内の液体によりノズルが保湿される。キャップ内に空吐出する際に、第２液体収容体に収容される複数種類の液体のうち残量が第１閾値を下回る液体の吐出量を少なくすることによって、その液体の消費を抑制できる。これにより、長期にわたって印刷できる。
【００９３】
［思想５］
前記制御部は、前記第２液体収容体に収容される複数種類の液体のうち少なくとも１種類の液体の残量が前記第１閾値よりも少ない第２閾値を下回る場合、前記第２液体収容体に収容される複数種類の液体のうち残量が前記第２閾値を下回る液体と対応する前記ノズルからの液体の吐出を禁止することを特徴とする［思想２］から［思想４］の何れか１つに記載の液体吐出装置。
【００９４】
この構成によれば、第２液体収容体に収容される液体のうち残量が第２閾値を下回る液体と対応するノズルから空気が吐出されるおそれを低減できる。
［思想６］
前記制御部は、前記第２液体収容体に収容される複数種類の液体のうち一の液体の残量と他の液体の残量との差が所定量以上となる場合、残量が少ない液体と対応する前記ノズルからの吐出量を少なくして印刷する節約モードを選択できる状態にすることを特徴とする［思想１］から［思想５］の何れか１つに記載の液体吐出装置。
【００９５】
この構成によれば、第２液体収容体に収容される複数種類の液体の残量の偏りを低減できる。
［思想７］
前記ノズルから液体を強制的に排出させる排出機構を備え、
前記制御部は、前記交換モードが選択された場合には、前記第２液体収容体が交換された後に前記排出機構による液体の排出を実行せず、
前記単色モード又は前記継続モードが選択された場合には、前記第２液体収容体が交換された後に前記排出機構による液体の排出を実行することを特徴とする［思想１］から［思想６］の何れか１つに記載の液体吐出装置。
【００９６】
この構成によれば、排出機構により液体を強制的に排出させるタイミングが少なくなるため、液体の消費を低減できる。これにより、長期にわたって印刷できる。
［思想８］
前記制御部は、前記単色モード又は前記継続モードが選択されてから経過した時間が長いほど、前記第２液体収容体が交換された後に実行される前記排出機構による液体の排出の強度を強くすることを特徴とする［思想７］に記載の液体吐出装置。
【００９７】
単色モード又は継続モードを選択してから経過した時間が長いほど、印刷に使用しないノズル内において液体の増粘及び固化が促進する。上記構成によれば、経過した時間に応じて排出機構による排出の強度を強くすることにより、ノズル内における液体を効果的に排出できる。
【００９８】
［思想９］
前記制御部は、前記第２液体収容体に収容される複数種類の液体の残量が前記第１閾値を下回る場合に、前記交換モード又は前記単色モードを選択できる状態にする［思想１］から［思想８］の何れか１つに記載の液体吐出装置。
【００９９】
この構成によれば、第２液体収容体に収容される複数種類の液体の残量がすべて第１閾値を下回る場合でも、単色モードを選択することにより継続して印刷できる。
【符号の説明】
【０１００】
１１…液体吐出装置、１２…筐体、１３…ノズル、１４…液体吐出部、１５…支持台、１６…第１液体収容体、１７…第１装着部、１８…第２液体収容体、１９…第２装着部、２１…キャップ、２２…排出機構、２３…制御部、２４…ヘッド、２５…キャリッジ、２６…ガイド軸、２８…収容室、３１…ノズル列、９９…媒体、Ｘ…主走査方向、Ｙ…副走査方向、Ｚ…鉛直方向。
【図１】
2019188746.tif 000003
【図２】
2019188746.tif 000004